(57)【要約】【課題】  従来、通水性濾過性を有したシート材料に、あらかじめ支持体を取り付け貼着したシート材料を２つ折りにして３辺を閉じて濾過袋を構成する製袋方式のドリップ抽出バッグでは支持体に使用する面積が濾過袋形より小さく、濾過袋を支持する力が小さいためカップ内に深く位置させ安定させてセットする事になり濾過袋の下方部がカップ内のお湯に浸りドリップ性が低くかった。【解決手段】  そのため、シート材料を２つ折りにした正面側と背面側に折り目部を介して一体の支持体を配置させ、折り目部の中央に濾過袋の上方口を設け、正面側と背面側の支持体を開き上げ平たくして、支持体の左右を下方に折り曲げ側壁を設け前後の両端部も下方に折り曲げて端部壁として、支持体の周囲を構成し下方向きの箱形を支持体で形成する事で高い濾過袋をカップ上で支える支持力を構成し、カップ上に支持体を置きセットできる様にしてカップ内の湯面に濾過袋の下部が浸らないドリップタイプとしている。【選択図】図５
2008114015.tif 000002
【特許請求の範囲】
【請求項１】
通水濾過性を有したシート材料に、防水加工した厚紙等の支持体を、シート材料の周囲に端部をのこして支持体の中央部に設けた上方口の背面部の周囲部とを一体に取り付け貼着し、このシート材料を２つ折りにした折り目を正背折り目とし、支持体より外側に伸び出ているシート材料どうしを一体に密着し３辺を閉じて形成する濾過袋であり、支持体は２つ折りにした正面側と背面側が折り目を通して一体であり、この折り目を支持体の正背折り目とし、この正背折り目を中心に支持体の正面側と背面側に渡り支持体の中央部に上方口を設け、この左右側方にはそれぞれに正面側の支持体から背面側の支持体に渡った平行な折り曲げ線を各有し、この折り曲げ線から左右それぞれ外側を支持体で箱形を形成する側壁部としており縦方向に長く位置し、正面側と背面側の支持体の下端部にはそれぞれ左右方向に折り目を設け端部壁を設けており、正面側の支持体と背面側の支持体を下方から開き上げ平面状にして左右両側壁と正面側と背面側の下端に設けた端部壁を下方に折り曲げ、中央部に設けた上方口の面を上板とした上板との組み合わせで下方向きの箱形を支持体が構成し、上方口の下部にシート材料で構成した濾過袋を有してなる事を特徴としたドリップ抽出バッグ。
【請求項２】
通水濾過性を有したシート材料に、防水加工した厚紙等の支持体を、シート材料の周囲に端部をのこして支持体の中央部に設けた上方口の背面部の周囲部とを一体に取り付け貼着し、このシート材料を２つ折りにした折り目を正背折り目とし、支持体より外側に伸び出ているシート材料どうしを一体に密着し３辺を閉じて形成する濾過袋であり、支持体は２つ折りにした正面側と背面側が折り目を通して一体であり、この折り目を支持体の正背折り目とし、この正背折り目を中心に支持体の正面側と背面側に渡り支持体の中央部に上方口を設け、この左右側方にはそれぞれに正面側の支持体から背面側の支持体に渡った平行な折り曲げ線を各有し、この折り曲げ線から左右それぞれ外側を支持体で箱形を形成する側壁部としており縦方向に長く位置し、正面側と背面側の支持体の下端部にはそれぞれ左右方向に折り目を設け端部壁を設けており、正面側の支持体と背面側の支持体を下方から開き上げ平面状にして左右両側壁と正面側と背面側の下端に設けた端部壁を下方に折り曲げ、上板との組み合わせで下方向きの箱形を支持体が構成し、上方口の下部にシート材料で構成した濾過袋を有したドリップ抽出バッグに於いて、支持体が下方向きの箱形を形成した時に、正背折り目が側方の側壁部と上板部に渡たり位置して、正背折り目の折り曲げ方向を２方向に分ける事で、正背折り目が伸びた状態で固定される様にしている事を特徴としたドリップ抽出バッグ。
【請求項３】
通水濾過性を有したシート材料に、防水加工した厚紙等の支持体を、シート材料の周囲に端部をのこして支持体の中央部に設けた上方口の背面部の周囲部とを一体に取り付け貼着し、このシート材料を２つ折りにした折り目を正背折り目とし、支持体より外側に伸び出ているシート材料どうしを一体に密着し３辺を閉じて形成する濾過袋であり、支持体は２つ折りにした正面側と背面側が折り目を通して一体であり、この折り目を支持体の正背折り目とし、この正背折り目を中心に支持体の正面側と背面側に渡り支持体の中央部に上方口を設け、この左右側方にはそれぞれに正面側の支持体から背面側の支持体に渡った平行な折り曲げ線を各有し、この折り曲げ線から左右それぞれ外側を支持体で箱形を形成する側壁部としており縦方向に長く位置し、正面側と背面側の支持体の下端部にはそれぞれ左右方向に折り目を設け端部壁を設けており、正面側の支持体と背面側の支持体を下方から開き上げ平面状にして左右両側壁と正面側と背面側の下端に設けた端部壁を下方に折り曲げ、上板との組み合わせで下方向きの箱形を支持体が構成し、上方口の下部にシート材料で構成した濾過袋を有したドリップ抽出バッグに於いて、縦方向に位置し伸びた左右の側壁の両端部に端部方向にさらに長く伸び出た側壁端部を、それぞれ設けて、この側壁端部が、上板や端部壁と組み合わされて左右の側壁を固定している事を特徴としたドリップ抽出バッグ。
【請求項４】
通水濾過性を有したシート材料に、防水加工した厚紙等の支持体を、シート材料の周囲に端部をのこして支持体の中央部に設けた上方口の背面部の周囲部とを一体に取り付け貼着し、このシート材料を２つ折りにした折り目を正背折り目とし、支持体より外側に伸び出ているシート材料どうしを一体に密着し３辺を閉じて形成する濾過袋であり、支持体は２つ折りにした正面側と背面側が折り目を通して一体であり、この折り目を支持体の正背折り目とし、この正背折り目を中心に支持体の正面側と背面側に渡り支持体の中央部に上方口を設け、この左右側方にはそれぞれに正面側の支持体から背面側の支持体に渡った平行な折り曲げ線を各有し、この折り曲げ線から左右それぞれ外側を支持体で箱形を形成する側壁部としており縦方向に長く位置し、正面側と背面側の支持体の下端部にはそれぞれ左右方向に折り目を設け端部壁を設けており、正面側の支持体と背面側の支持体を下方から開き上げ平面状にして左右両側壁と正面側と背面側の下端に設けた端部壁を下方に折り曲げ、上板との組み合わせで下方向きの箱形を支持体が構成し、上方口の下部にシート材料で構成した濾過袋を有したドリップ抽出バッグに於いて、左右の側壁には両端部に長く伸び出た側壁端部をそれぞれ設けて、この側壁端部を内側に折り曲げ、端部壁を長く伸ばして左右方向に２本の折り目を設け、この第１折り目と第２折り目の間を端部壁の外壁として、第２折り目から先端までを内壁とした構成の端部壁として、この内壁を内側に折り曲げ外壁と内壁の間に側壁の側壁端部を挟み込み端部壁で左右の側壁を固定している事を特徴としたドリップ抽出バッグ。
【請求項５】
通水濾過性を有したシート材料に、防水加工した厚紙等の支持体を、シート材料の周囲に端部をのこして支持体の中央部に設けた上方口の背面部の周囲部とを一体に取り付け貼着し、このシート材料を２つ折りにした折り目を正背折り目とし、支持体より外側に伸び出ているシート材料どうしを一体に密着し３辺を閉じて形成する濾過袋であり、支持体は２つ折りにした正面側と背面側が折り目を通して一体であり、この折り目を支持体の正背折り目とし、この正背折り目を中心に支持体の正面側と背面側に渡り支持体の中央部に上方口を設け、この左右側方にはそれぞれに正面側の支持体から背面側の支持体に渡った平行な折り曲げ線を各有し、この折り曲げ線から左右それぞれ外側を支持体で箱形を形成する側壁部としており縦方向に長く位置し、正面側と背面側の支持体の下端部にはそれぞれ左右方向に折り目を設け端部壁を設けており、正面側の支持体と背面側の支持体を下方から開き上げ平面状にして左右両側壁と正面側と背面側の下端に設けた端部壁を下方に折り曲げ、上板との組み合わせで下方向きの箱形を支持体が構成し、上方口の下部にシート材料で構成した濾過袋を有したドリップ抽出バッグに於いて、左右の側壁の両端部に長く伸び出た側壁端部をそれぞれ設けて、この側壁端部を内側に折り曲げ、端部壁も長く伸ばして左右方向に２本の折り目を設けた第１折り目と第２折り目の間を端部壁の外壁として、第２折り目から先端までを内壁としており、この内壁を内側に折り曲げ外壁と内壁の間に側壁の側壁端部を挟み込み、内壁の先端に伸び出た内壁凸部を設けて、上板と第１折り目に設けた切り込み部に、この内壁凸部を押し込み内壁を固定している事を特徴としたドリップ抽出バッグ。
【発明の詳細な説明】
【技術分野】
【０００１】  本発明は飲用容器にセットして使用する、レギュラーコーヒー等の使い捨てタイプのドリップ式抽出バッグであり、通水性濾過性を有したシート材料により上方に開口部を有した濾過袋を構成し、この濾過袋の外壁面に防水加工をした厚紙等の部材で構成した支持体を取り付け設けて、カップ等の飲用容器上に濾過袋を支持体で支え定置させセットして濾過袋内にコーヒー粉を入れドリップ抽出する。
【背景技術】
【０００２】  濾過袋を構成する通水濾過性を有する平面状態のシート材料に、あらかじめ防水加工をした厚紙等の支持体を取り付けておき、このシート材を二つ折りにして、その三辺を封じて構成する製袋方式のドリップ抽出バッグがあった（特開２００４−１７８５）や（特開２００４−２４７００）さらに（特開２００２−２３８７６７）および（実開平７−２２３）などであり、基本的に、これは支持体より濾過袋が大きく支持体より外方向に伸び出た三辺を封じて濾過袋を構成してドリップ抽出バッグの全体形を構成していた。【０００３】  これに比較して（登録実案第３０４２２９２号）や（特開２０００−２７９３２３）及び（実開昭５７−１４５３２２）や（特開２００４−７１１）では濾過袋部より支持体の側の構成が大きく支持体を主として、この支持体に濾過袋を取り付けて行く製作工程で構成したドリップ抽出バッグである。
（特開２００４−１７８５）
（特開２００２−２３８７６７）
（特開２００４−２４７００）
（特開２００４−７１１）
（実開平７−２２３）
（登録実案第３０４２２９２号）
（特開２０００−２７９３２３）
（実開昭５７−１４５３２２）
【発明の開示】
【発明が解決しようとする課題】
【０００４】  通水濾過性を有するシート材料に、あらかじめ厚紙等に防水加工をした支持体を取り付けて置き、このシート材を二つ折りにして、その三辺のシート材どうしを接続して構成した濾過袋内にコーヒー粉を充填する製産方式は製袋方式としてドリップ抽出バッグの製作工程を少なくして単純化でき低コスト化を計れるが、シート材により構成する濾過袋の三辺を封じるため、支持体が、この濾過袋より小さくなければならずカップ上にセットするのに次の様な課題が生じた。【０００５】  （特開２００４−１７８５）のケースでは濾過袋の上方口が大きく開かず、お湯が注ぎづらく（特開２００２−２３８７６７）では、支持体の使用面積が少ない分カップ上に濾過袋を支える支持力が十分に確保できず支持力が弱く又（特開２００４−２４７００）では濾過袋を支える支持力の低さとカップへのセットが容易ではないなど又（実開平７−２２３）では同様に支持体の使用面積が小さくてカップ上に濾過袋を支持できず、濾過袋の下方部をカップ内に位置させ吊り下げる状態でセットするため、カップ内のお湯に濾過袋の下部が浸りドリップ性が低いなどの課題があった。【０００６】  これに比較して（特開２００４−１７８５）や（特開２００２−２３８７６７）さらに（特開２００４−２４７００）や（特開２００４−７１１）などでは、濾過袋より支持体が大きく構成して支持体が大きくなる面積を有しているため、濾過袋をカップ上に支える支持力も高く構成でき、支持体の形状も自在となるため濾過袋の上方口も大きくでき又、カップ上に高く濾過袋も位置させ保持する事も容易のためドリップ性も確保でき有利であるが、支持体の面積を多く使用する事や支持体を主として構成する製産方式の工程が複雑になりコスト高になる要因となった。
【課題を解決するための手段】
【０００７】  本発明では、通水性濾過性を有したシート材料に、あらかじめシート材料の周囲に端部をのこして、支持体を一体に取り付け貼着し、このシート材料を２つ折りにして、支持体より外側に伸び出ているシート材料どうしを一体に密着し３辺を閉じて濾過袋を形成する製袋方式であり、支持体もシート材料と同じ様に中央部で左右に貫通した折り目を正背折り目として２つ折りされ濾過袋の正面側と背面側に位置しながら一体である。【０００８】  ２つ折りにして構成した濾過袋の折り目側を上方に位置し、この折り目を中心として正面側と背面側に位置した支持体は折り目部の中央部の中心に、お湯を注ぐための上方口を設けており、さらに支持体の上方口の左右側方にはそれぞれに正面側の支持体から背面側の支持体に縦方向に通った平行な折り曲げ線を有しており、この折り曲げ線から左右それぞれ外側を支持体で箱形を形成するときの側壁部としており縦方向に長く位置している、この側壁部の両端部は縦方向にさらに長く伸び出て端部壁の内壁と外壁の間に折り込まれ側壁が固定される側壁端部を有している。【０００９】  折り目側を上方に位置した支持体の左右両側部を側壁としたとき、正面側と背面側の支持体の折り目である正背折り目を中心として、支持体の中央部に設けた上方口が、位置する周囲側の面を、箱形を形成したときの上板部としている。【００１０】  折り目側を上方に位置したとき支持体は左右の側壁部の間の上板部の巾で正面側と背面側それぞれに於いて下端方向に伸び出て端部壁を構成しており、この伸び出た端部には左右方向への２本の折り目を設けており、第１折り目と第２折り目の間を箱形を構成するときの端部壁の外壁となり第２折り目から下端までを端部壁の内側に折り込む、内壁としており、この内壁の中央下端には凸部を設けており、内壁を内側に折り込んだ時の固定のために、第１折り目から上板部にかけてＴ字形の切り込みを入れ設けた、切り込み部に下方から押し込み凸部を伸び出させ、押え部で固定するものである。【００１１】  この支持体は上板部の周囲に設けた、左右の側壁と正面側と背面側の下端部の端部壁により、正面側と背面側の支持体を上方に開き上げ正背折り目を伸ばし、上板部を平たくして左右の側壁２辺と端部壁の２辺の４辺により下方に折り曲げ上板との組み合わせで四角型で下方向きの箱形を支持体が構成している。【００１２】  上方口の左右に長く伸びて位置する側壁は、その両端部が上板部より伸び出た部分を折り曲げて端部壁の外壁と内壁の間に収まり端部壁が固定される事で側壁も固定され支持体は箱形を構成している。【００１３】  シート材料と上板部は、支持体に設けた上方口の背面側の周囲部に貼着されて一体に取り付けられている。【００１４】  支持体の正背折り目を中心に設けた上方口は、シート材料にあらかじめ上方口の周囲部に上方口形にミシン目を入れて設けたミシン目でシート材料の部分を上方口形に切り取り上方口を開放し濾過袋の開口部としている。
【発明の効果】
【００１５】  通水濾過性を有するシート材料に、あらかじめ厚紙等に防水加工をした支持体を貼着して、このシート材を２つ折りにして他の３辺を封じながら、中にコーヒー粉等を充填して行く製袋方式のため、生産工程が簡略化でき低コスト化を計りながら次の様な利点も構成している。【００１６】  （特開２００４−１７８５）や（公開実案昭５７−１４５３２２）及び（登録実案第３０４２２９号）などは、カップにセットする時にカップの口部を捕え支持体全体の構成が保たれているために、この外れによりカップ上からの脱落が生じたが本発明では、（特開２００４−７１１）の様にカップの口径に関係なく口部上に置くだけで良く支持体の構成が安定しておりカップの口径の大小による支持体の構成角度の変化もなく口部形も一定である。【００１７】  （特開２００４−２４７００）及び（実開平７−２２３）の様にカップの口部を捕え濾過袋形を形成保持したり（特開２００２−２３８７６７）の様にカップの口部上を捕える係止片の強度が低いタイプに比較し本発明では支持体で箱形の全体形を構成したため本体自体の構成強度が高くなり変形に対しても強くカップ上に濾過袋を支える支持力が高くなる。【００１８】  濾過袋形の範囲内の少ない支持体の面積でも支持体で箱形を構成するために支持強度が高く（実開平７−２２３）の様に支持力が弱いケースではカップ内のお湯に濾過袋の下部が浸る様にしてセットの安定性を得ていたのに比較して本発明では支持体の構成強度が高いためカップ上に濾過袋を支える事が容易となりドリップ性を確保できる。
【発明を実施するための最良の形態】
【００１９】  以下、本発明の実施の形態を図１〜図５に基づいて説明する、図１に示す様に、通水性濾過性を有するシート材料１６に、防水加工をした厚紙等の部材により構成した支持体１５は、シート材料１６の端部１７を周囲にのこし配置され支持体１５の中央に設けたお湯を注ぎ入れる上方口１の周囲部の背面側とシート材料１６とを貼着し一体に取り付けている、この支持体１５に設けた上方口１の左右には、それぞれに縦方向に伸びた側壁折り目１８を設けて左右の外側部分をそれぞれ側壁４としている、この支持体１５の上端部と下端部は、それぞれに、左右方向に伸びた第１折り目１９と第２折り目２２を有し、その折り目の間を外壁５とし第２折り目２２から端側を内壁６としさらに、その端部を内壁凸部９として、端部壁７を構成し、第１折り目１９の中央部には折り目から上板３に渡りＴ字型の切り込み１０を入れ、押え部２０を設けている、支持体１５の左右に縦方向に伸び位置した側壁４の中央部には左右それぞれの外側方向に伸び出た内ガード２３を外方向に伸び出て有しており、カップにセットした時にカップ内に位置して、ずれを防止するために設けており、さらに側壁４は、それぞれに縦方向の両端側に長く伸び出た側壁端部８を設けている、支持体１５の左右端部に設けた側壁４と上下端部に設けた端部壁７を周囲に構え中央部に上方口１を有した面を上板３とし、この上板３には上下に端部に設けた各外壁５の第１折り目１９の線上と上板３の中央方向に伸びたＴ字型の切り込み１０を入れて押え部２０を設けている。【００２０】  図１〜図２に示す様に、支持体１５の中央には左右に伸びた正背折り目１１を設けており、この正背折り目１１から全体を２つ折りにしてシート材料１６の端部１７部でシート材料１６どうしを密着し３辺を封じて濾過袋２を構成している。【００２１】  図２〜図３に示す様に、図２の状態から２つ折りにした正面側の支持体１５と背面側の支持体１５の下部側を図３に示す様に上方に開き上げて、上方口１と濾過袋２を広げて形成し図４に示す様に、左右の側壁４を側壁折り目１８から折り曲げ形成し側壁端部８を内側に折り込む、さらに支持体１５の端部壁側の第１折り目１９と第２折り目２２を折り曲げ外壁５と内壁６の間に左右側壁４の側壁端部８を挟み込みＴ字型切り込み１０内に内壁凸部９を押し込み押え部２０で押さえて内壁６を固定し左右の側壁４及び両端部の外壁５を形成し下方向きの箱形を支持体１５は構成する。【００２２】  図３に示す支持体１５の左右の側壁４を下方に折り曲げ両端部側の端部壁７で側壁４を固定し下方向きの箱形を構成した時に上板３と側壁４に渡る正背折り目１１は上板３と側壁４が直角になり正背折り目１１の折り目が２方向に分けられるため伸ばされ固定される。【００２３】  端部壁７の外壁５は第２折り目２２の両端部から内壁６側に切り込み２３を入れ設けた下方向に伸び出た凸部を有し外ガード１２としており箱形を形成しカップ上に置いた時にカップ口部の外側に位置して、ずれ防止の作用をしている。【００２４】  シート材料１６と支持体１５により構成し３辺を閉じて形成する濾過袋２内にはコーヒー粉を充填しており、上方口１の内側周囲に入れ設けたシート材料１６のミシン目２４から、上方口１の内側部のシート材料１６を切り取り上方口を開放し図３の様に支持体１５を平たく広げ図４に示す様に下方向きの箱形を支持体１５で形成しカップ１４上に置き濾過袋２内に上方口１からお湯を注ぎ入れドリップ使用する。
【図面の簡単な説明】
【００２５】
【図１】  本発明の平面図
【図２】  本発明の正面図
【図３】  本発明の開放した状態の斜視図
【図４】  本発明の組み立て状態を示す斜視図
【図５】  本発明の使用状態の斜視図
【００２６】  １．上方口
２．濾過袋
３．上板
４．側壁
５．外壁
６．内壁
７．端部壁
８．側壁端部
９．内壁凸部
１０．切り込み部
１１．正背折り目
１２．外ガード
１３．内ガード
１４．カップ
１５．支持体
１６．シート材料
１７．端部
１８．側壁折り目
１９．第１折り目
２０．押え部
２１．側壁曲げ部
２２．第２折り日
２３．切り込み部
２４．ミシン目
【図１】
2008114015.tif 000003
【図２】
2008114015.tif 000004
【図３】
2008114015.tif 000005
【図４】
2008114015.tif 000006
【図５】
2008114015.tif 000007